(57)【特許請求の範囲】
【請求項１】
原稿が載置される原稿載置部と、
前記原稿載置部に載置された原稿を読み取る原稿読取装置と、
前記原稿載置部からの原稿の取り出しを許容する開放姿勢と、前記原稿載置部からの原稿の取り出しを規制する閉止姿勢と、の間で姿勢を切り換え可能な開閉部材と、
前記開閉部材を前記閉止姿勢に保持するロック機構と、
前記原稿載置部からの原稿の取り忘れをユーザーに報知する報知機構と、
前記原稿載置部に載置された原稿を検知する原稿検知部と、
ユーザーを検知するユーザー検知部と、
ユーザーをログイン状態とするためのログイン処理を実行する制御部と、
前記報知機構の作動時間を記憶する記憶部と、を備え、
前記制御部は、前記原稿読取装置による原稿の読み取りが完了した状態で、前記原稿検知部が原稿を検知し、且つ、前記ユーザー検知部がユーザーを検知しない場合に、前記作動時間中は前記ロック機構及び前記報知機構を作動させ、前記作動時間が終了すると、前記ロック機構の作動を継続させると共に前記報知機構の作動を停止させ、前記ロック機構が作動している状態で、特定のユーザーの認証が成功する場合に、前記ロック機構の作動を解除することを特徴とする画像形成装置。
【請求項２】
原稿が載置される原稿載置部と、
前記原稿載置部に載置された原稿を読み取る原稿読取装置と、
前記原稿載置部からの原稿の取り出しを許容する開放姿勢と、前記原稿載置部からの原稿の取り出しを規制する閉止姿勢と、の間で姿勢を切り換え可能な開閉部材と、
前記開閉部材を前記閉止姿勢に保持するロック機構と、
前記原稿載置部からの原稿の取り忘れをユーザーに報知する報知機構と、
前記原稿載置部に載置された原稿を検知する原稿検知部と、
ユーザーを検知するユーザー検知部と、
ユーザーをログイン状態とするためのログイン処理を実行する制御部と、
前記ロック機構の待機時間を記憶する記憶部と、を備え、
前記制御部は、前記原稿読取装置による原稿の読み取りが完了した状態で、前記原稿検知部が原稿を検知し、且つ、前記ユーザー検知部がユーザーを検知しない場合に、前記待機時間中は前記ロック機構を待機させると共に前記報知機構を作動させ、前記待機時間が終了してもまだ前記原稿検知部が原稿を検知する場合に、前記ロック機構を作動させ、前記ロック機構が作動している状態で、特定のユーザーの認証が成功する場合に、前記ロック機構の作動を解除することを特徴とする画像形成装置。
【請求項３】
操作画面を表示する表示部を更に備え、
前記制御部は、前記ロック機構が作動している状態で、前記特定のユーザーの識別情報の少なくとも一部と前記原稿載置部からの原稿の取り忘れに関する警告を前記表示部に表示させることを特徴とする請求項１又は２に記載の画像形成装置。
【請求項４】
請求項１に記載の画像形成装置と、
前記画像形成装置にネットワークを介して接続される端末装置と、を備え、
前記制御部は、前記作動時間中は前記画像形成装置への操作によって前記特定のユーザーの認証が成功する場合に、前記ロック機構の作動を解除し、前記作動時間が終了すると、前記原稿載置部からの原稿の取り忘れに関する取り忘れ通知を前記特定のユーザーの前記端末装置に送信し、前記端末装置への操作によって前記特定のユーザーの認証が成功する場合に、前記ロック機構の作動を解除することを特徴とする画像形成システム。
【請求項５】
前記記憶部は、管理者権限を有する第１ユーザーの識別情報と、管理者権限を有しない第２ユーザーの識別情報と、をそれぞれ記憶し、
前記制御部は、前記第２ユーザーが原稿の読み取りを完了させた時には、前記取り忘れ通知を前記第１ユーザー及び前記第２ユーザーの前記端末装置に送信し、前記端末装置への操作によって前記第１ユーザー又は前記第２ユーザーの一方の認証が成功する場合に、前記ロック機構の作動を解除し、前記第１ユーザー又は前記第２ユーザーの他方の前記端末装置に前記ロック機構の作動の解除に関するロック解除通知を送信することを特徴とする請求項４に記載の画像形成システム。
【請求項６】
前記記憶部は、管理者権限を有する第１ユーザーの識別情報と、管理者権限を有しない第２ユーザーの識別情報と、をそれぞれ記憶し、
前記制御部は、前記第２ユーザーが原稿の読み取りを完了させた時には、前記取り忘れ通知を前記第１ユーザー及び前記第２ユーザーの前記端末装置に送信し、前記第１ユーザー及び前記第２ユーザー以外のユーザーが原稿の読み取りを完了させた時には、前記取り忘れ通知を前記第１ユーザーの前記端末装置のみに送信することを特徴とする請求項４又は５に記載の画像形成システム。
【請求項７】
前記制御部は、前記第２ユーザーが原稿の読み取りを完了させた時に前記第１ユーザーの前記端末装置に送信される前記取り忘れ通知に前記第２ユーザーの識別情報の少なくとも一部を含ませ、前記第２ユーザーが原稿の読み取りを完了させた時に前記第２ユーザーの前記端末装置に送信される前記取り忘れ通知に前記第１ユーザーの識別情報の少なくとも一部を含ませることを特徴とする請求項５又は６に記載の画像形成システム。
【請求項８】
原稿が載置される原稿載置部と、
前記原稿載置部に載置された原稿を読み取る原稿読取装置と、
前記原稿載置部からの原稿の取り出しを許容する開放姿勢と、前記原稿載置部からの原稿の取り出しを規制する閉止姿勢と、の間で姿勢を切り換え可能な開閉部材と、
前記開閉部材を前記閉止姿勢に保持するロック機構と、
前記原稿載置部からの原稿の取り忘れをユーザーに報知する報知機構と、
前記原稿載置部に載置された原稿を検知する原稿検知部と、
ユーザーを検知するユーザー検知部と、
ユーザーをログイン状態とするためのログイン処理を実行する制御部と、を備えた画像形成装置と、
前記画像形成装置にネットワークを介して接続される端末装置と、を備え、
前記制御部は、前記原稿読取装置による原稿の読み取りが完了した状態で、前記原稿検知部が原稿を検知し、且つ、前記ユーザー検知部がユーザーを検知しない場合に、前記ロック機構及び前記報知機構を作動させ、前記ロック機構が作動している状態で、特定のユーザーの認証が成功する場合に、前記ロック機構の作動を解除し、
前記制御部は、前記ロック機構が作動し、且つ、前記原稿検知部が原稿を検知しない場合に、前記特定のユーザーの前記端末装置に通知を送信できるか否かを判断し、前記特定のユーザーの前記端末装置に通知を送信できる場合には、前記原稿載置部から原稿が不正に取り出されたことに関する不正取り出し通知を前記特定のユーザーの前記端末装置に送信し、前記特定のユーザーの前記端末装置に通知を送信できない場合には、前記報知機構を作動させることを特徴とする画像形成システム。
【発明の詳細な説明】
【技術分野】
【０００１】
本発明は、画像形成装置及びこれを備えた画像形成システムに関する。
【背景技術】
【０００２】
従来、画像形成装置の中には、原稿載置部に載置された原稿を読み取る原稿読取装置を備えたものが存在する。このような原稿読取装置を備えた画像形成装置においては、原稿読取装置による原稿の読み取りが完了した後に、ユーザーが原稿載置部から原稿を取り忘れる場合がある。
【０００３】
そこで、ユーザーが原稿載置部から原稿を取り忘れた場合に、ユーザーに警告を行う技術がある（特許文献１参照）。
【先行技術文献】
【特許文献】
【０００４】
【特許文献１】特開２０１１−１６０２１８号公報
【発明の概要】
【発明が解決しようとする課題】
【０００５】
しかしながら、上記のようにユーザーに警告を行うだけでは、ユーザーが警告に気付かなかった場合に、ユーザーが取り忘れた原稿を無権限の第三者が取り出してしまい、原稿に含まれる機密事項が漏えいする恐れがある。
【０００６】
そこで、本発明は、原稿の取り忘れをユーザーに確実に報知すると共に、ユーザーが取り忘れた原稿を無権限の第三者が取り出すのを防止することを目的とする。
【課題を解決するための手段】
【０００７】
本発明の画像形成装置は、原稿が載置される原稿載置部と、前記原稿載置部に載置された原稿を読み取る原稿読取装置と、前記原稿載置部からの原稿の取り出しを許容する開放姿勢と、前記原稿載置部からの原稿の取り出しを規制する閉止姿勢と、の間で姿勢を切り換え可能な開閉部材と、前記開閉部材を前記閉止姿勢に保持するロック機構と、前記原稿載置部からの原稿の取り忘れをユーザーに報知する報知機構と、前記原稿載置部に載置された原稿を検知する原稿検知部と、ユーザーを検知するユーザー検知部と、ユーザーをログイン状態とするためのログイン処理を実行する制御部と、を備え、前記制御部は、前記原稿読取装置による原稿の読み取りが完了した状態で、前記原稿検知部が原稿を検知し、且つ、前記ユーザー検知部がユーザーを検知しない場合に、前記ロック機構及び前記報知機構を作動させ、前記ロック機構が作動している状態で、特定のユーザーの認証が成功する場合に、前記ロック機構の作動を解除することを特徴とする。
【０００８】
上記のように原稿検知部の検知結果とユーザー検知部の検知結果を組み合わせることで、原稿の取り忘れを正確に把握することができるため、原稿の取り忘れをユーザーに確実に報知することが可能となる。
【０００９】
また、上記のように特定のユーザーの認証が成功するまでロック機構を作動させることで、ユーザーが原稿の取り忘れの報知に気付かなかった場合であっても、ユーザーが取り忘れた原稿を無権限の第三者が取り出すのを防止することができる。そのため、原稿に含まれる機密事項が漏えいするのを抑制することが可能となる。
【００１０】
本発明の画像形成装置は、前記報知機構の作動時間を記憶する記憶部を更に備え、前記制御部は、前記原稿読取装置による原稿の読み取りが完了した状態で、前記原稿検知部が原稿を検知し、且つ、前記ユーザー検知部がユーザーを検知しない場合に、前記作動時間中は前記ロック機構及び前記報知機構を作動させ、前記作動時間が終了すると、前記ロック機構の作動を継続させると共に前記報知機構の作動を停止させても良い。
【００１１】
このような構成を採用することで、ユーザーが取り忘れた原稿を無権限の第三者が取り出すのを一層確実に防止することが可能となる。
【００１２】
本発明の画像形成装置は、前記ロック機構の待機時間を記憶する記憶部を更に備え、前記制御部は、前記原稿読取装置による原稿の読み取りが完了した状態で、前記原稿検知部が原稿を検知し、且つ、前記ユーザー検知部がユーザーを検知しない場合に、前記待機時間中は前記ロック機構を待機させると共に前記報知機構を作動させ、前記待機時間が終了してもまだ前記原稿検知部が原稿を検知する場合に、前記ロック機構を作動させても良い。
【００１３】
このような構成を採用することで、ユーザーが待機時間中に原稿の取り忘れの報知に気付いた場合に、認証を行うことなく原稿を取り出すことができるため、利便性の向上を図ることが可能となる。
【００１４】
本発明の画像形成装置は、操作画面を表示する表示部を更に備え、前記制御部は、前記ロック機構が作動している状態で、前記特定のユーザーの識別情報の少なくとも一部と前記原稿載置部からの原稿の取り忘れに関する警告を前記表示部に表示させても良い。
【００１５】
このような構成を採用することで、画像読取機能を使用したい他のユーザー（特定のユーザー以外のユーザー）が、特定のユーザーに直接連絡を取り、ロック機構の作動を解除するための認証を特定のユーザーに行わせることが可能となる。
【００１６】
本発明の画像形成システムは、前記画像形成装置と、前記画像形成装置にネットワークを介して接続される端末装置と、を備え、前記制御部は、前記作動時間中は前記画像形成装置への操作によって前記特定のユーザーの認証が成功する場合に、前記ロック機構の作動を解除し、前記作動時間が終了すると、前記原稿載置部からの原稿の取り忘れに関する取り忘れ通知を前記特定のユーザーの前記端末装置に送信し、前記端末装置への操作によって前記特定のユーザーの認証が成功する場合に、前記ロック機構の作動を解除することを特徴とする。
【００１７】
このような構成を採用することで、特定のユーザーが作動時間の終了後に画像形成装置から離れた場所にいる場合でも、特定のユーザーが端末装置への操作によって認証を行うことで、特定のユーザーが画像形成装置まで移動しなくてもロック機構の作動を解除することができる。また、特定のユーザーが画像形成装置の近くにいる他のユーザーに原稿の取り出し及び保管を依頼することも可能である。
【００１８】
前記記憶部は、管理者権限を有する第１ユーザーの識別情報と、管理者権限を有しない第２ユーザーの識別情報と、をそれぞれ記憶し、前記制御部は、前記第２ユーザーが原稿の読み取りを完了させた時には、前記取り忘れ通知を前記第１ユーザー及び前記第２ユーザーの前記端末装置に送信し、前記端末装置への操作によって前記第１ユーザー又は前記第２ユーザーの一方の認証が成功する場合に、前記ロック機構の作動を解除し、前記第１ユーザー又は前記第２ユーザーの他方の前記端末装置に前記ロック機構の作動の解除に関するロック解除通知を送信しても良い。
【００１９】
このような構成を採用することで、ロック機構の作動を解除するための認証を第１ユーザーと第２ユーザーが重複して行うのを抑制し、利便性の向上を図ることが可能となる。
【００２０】
前記記憶部は、管理者権限を有する第１ユーザーの識別情報と、管理者権限を有しない第２ユーザーの識別情報と、をそれぞれ記憶し、前記制御部は、前記第２ユーザーが原稿の読み取りを完了させた時には、前記取り忘れ通知を前記第１ユーザー及び前記第２ユーザーの前記端末装置に送信し、前記第１ユーザー及び前記第２ユーザー以外のユーザーが原稿の読み取りを完了させた時には、前記取り忘れ通知を前記第１ユーザーの前記端末装置のみに送信しても良い。
【００２１】
このような構成を採用することで、適切な送信先に取り忘れ通知を送信することが可能となる。
【００２２】
前記制御部は、前記第２ユーザーが原稿の読み取りを完了させた時に前記第１ユーザーの前記端末装置に送信される前記取り忘れ通知に前記第２ユーザーの識別情報の少なくとも一部を含ませ、前記第２ユーザーが原稿の読み取りを完了させた時に前記第２ユーザーの前記端末装置に送信される前記取り忘れ通知に前記第１ユーザーの識別情報の少なくとも一部を含ませても良い。
【００２３】
このような構成を採用することで、第１ユーザーと第２ユーザーが互いに連絡を取ることができる。そのため、第１ユーザーと第２ユーザーのどちらが認証や原稿の取り出しを行うかを容易に決定することができる。
【００２４】
本発明の画像形成システムは、前記画像形成装置と、前記画像形成装置にネットワークを介して接続される端末装置と、を備え、前記制御部は、前記ロック機構が作動し、且つ、前記原稿検知部が原稿を検知しない場合に、前記特定のユーザーの前記端末装置に通知を送信できるか否かを判断し、前記特定のユーザーの前記端末装置に通知を送信できる場合には、前記原稿載置部から原稿が不正に取り出されたことに関する不正取り出し通知を前記特定のユーザーの前記端末装置に送信し、前記特定のユーザーの前記端末装置に通知を送信できない場合には、前記報知機構を作動させることを特徴とする。
【００２５】
このような構成を採用することで、原稿の不正な取り出しを特定のユーザー又は画像形成装置の周囲にいるユーザーに迅速に知らせることができる。
【発明の効果】
【００２６】
本発明によれば、原稿の取り忘れをユーザーに確実に報知すると共に、ユーザーが取り忘れた原稿を無権限の第三者が取り出すのを防止することが可能となる。
【図面の簡単な説明】
【００２７】
【図１】本発明の一実施形態に係る複合機の概略を示す模式図である。
【図２】本発明の一実施形態に係る複合機の後上部を示す左前方からの分解斜視図である。
【図３】本発明の一実施形態に係る複合機の後上部を示す右前方からの分解斜視図である。
【図４】本発明の一実施形態に係る複合機の上部を示す左前方からの斜視図である。
【図５】本発明の一実施形態に係る画像形成システムを示すブロック図である。
【図６】本発明の一実施形態に係る画像形成システムにおいて、ユーザーのログイン処理を示すフローチャートである。
【図７】本発明の一実施形態に係る画像形成システムにおいて、原稿の取り忘れ及び原稿の不正取り出しを防止するための制御の第１実施例を示すフローチャートである。
【図８】本発明の一実施形態に係る表示部において、第１ユーザー及び第２ユーザーの識別情報の一部と警告が表示された操作画面の一例を示す図である。
【図９Ａ】本発明の一実施形態に係る第１表示デバイスにおいて、第１ＰＣに送信される取り忘れ通知の一例を示す図である。
【図９Ｂ】本発明の一実施形態に係る第２表示デバイスにおいて、第２ＰＣに送信される取り忘れ通知の一例を示す図である。
【図１０】本発明の一実施形態に係る画像形成システムにおいて、取り忘れ通知の送信制御を示すフローチャートである。
【図１１】本発明の一実施形態に係る画像形成システムにおいて、原稿の取り忘れ及び原稿の不正取り出しを防止するための制御の第２実施例を示すフローチャートである。
【図１２】本発明の一実施形態に係る画像形成システムにおいて、原稿の不正取り出しをユーザーに知らせるための制御を示すフローチャートである。
【発明を実施するための形態】
【００２８】
以下、図１〜図４を用いて、本発明の一実施形態に係る複合機１（画像形成装置）について説明する。なお、説明の便宜上、図１における右側を複合機１の前側（ユーザー側）とする。各図に適宜付される矢印Ｆｒ、Ｒｒ、Ｌ、Ｒ、Ｕ、Ｌｏは、それぞれ複合機１の前側、後側、左側、右側、上側、下側を示している。
【００２９】
まず、図１を用いて、複合機１の構成の概略について説明する。
【００３０】
複合機１は、箱型形状の複合機本体２（装置本体）を備えている。複合機本体２の上端部には、コンタクトガラス３（原稿載置部）が設けられている。コンタクトガラス３には、原稿Ｘが載置されている。コンタクトガラス３の上方には、カバー４（開閉部材）が設けられている。コンタクトガラス３の下方には、原稿読取装置５が設けられている。原稿読取装置５は、光源６と、複数のミラー７と、レンズ８と、イメージセンサー９と、を備えている。
【００３１】
複合機本体２の下部には、複数の給紙カセット１１が収容されている。各給紙カセット１１には、用紙Ｓ（記録媒体）が収納されている。複合機本体２の後面には、排紙トレイ１２が突設されている。
【００３２】
複合機本体２の上部には、画像形成部１３が収容されている。画像形成部１３は、感光体ドラム１４（像担持体）と、帯電器１５と、露光器１６と、現像装置１７と、転写装置１８と、クリーニング装置１９と、除電器２０と、を備えている。
【００３３】
複合機本体２の内部には、用紙Ｓを搬送するための搬送路Ｐが設けられている。搬送路Ｐの上流端部には、複数の給紙ユニット２２が各給紙カセット１１の右上方に設けられている。搬送路Ｐの中流部には、感光体ドラム１４と転写装置１８の間に転写部２３が設けられている。搬送路Ｐの下流部には、定着装置２４が設けられている。搬送路Ｐの下流端部には排紙ユニット２５が設けられている。
【００３４】
次に、複合機１の動作について、コピー動作を例に説明する。
【００３５】
複合機１に対してコピー開始の指示がなされると、原稿読取装置５の光源６から光（図１の矢印Ｌ参照）が照射される。この光は、コンタクトガラス３に載置された原稿Ｘによって反射され、複数のミラー７によって折り返され、レンズ８を通過して、イメージセンサー９に到達する。これにより、コンタクトガラス３に載置された原稿Ｘが原稿読取装置５によって読み取られる。
【００３６】
また、上記のように複合機１に対してコピー開始の指示がなされると、帯電器１５が感光体ドラム１４の表面を帯電させる。次に、原稿読取装置５によって読み取られた原稿Ｘのデータに基づいて、露光器１６が感光体ドラム１４に対して露光を行い、感光体ドラム１４上に静電潜像が形成される。次に、この静電潜像を、現像装置１７がトナー像に現像する。なお、感光体ドラム１４上に残留したトナーと電荷は、それぞれクリーニング装置１９と除電器２０によって除去される。
【００３７】
一方で、各給紙ユニット２２によって各給紙カセット１１から取り出された用紙Ｓは、搬送路Ｐを下流側へと搬送されて、転写部２３に進入する。この転写部２３において、感光体ドラム１４上のトナー像が用紙Ｓに転写される。トナー像を転写された用紙Ｓは、搬送路Ｐを更に下流側へと搬送されて、定着装置２４に進入する。この定着装置２４において、用紙Ｓにトナー像が定着される。トナー像が定着された用紙Ｓは、排紙ユニット２５によって排紙トレイ１２へと排出される。これにより、コピー動作が完了する。
【００３８】
次に、複合機本体２の構成について、図２〜図４を用いて更に説明する。
【００３９】
図２、図３に示されるように、複合機本体２の後上部には、左右一対の挿入部２７が設けられている。各挿入部２７は、上面側と後面側が開口された矩形の箱型形状を成している。各挿入部２７の左右両側面の上部には、軸穴２８が設けられている。各挿入部２７の前面の上下方向中央部には、スリット状の挿入溝２９が設けられている。
【００４０】
複合機本体２の後上部には、各挿入部２７の左右方向内側に、ロック機構３０が設けられている。各ロック機構３０は、モーター３１と、モーター３１に取り付けられるロック片３２と、を備えている。モーター３１は、二値信号（１，０又は０，１）に基づいて一対の電極の極性を変化させることで、平面視時計回り又は反時計回りに９０度回転するように構成されている。ロック片３２は、モーター３１の回転に伴って、ロック解除位置（図２、図３参照）とロック位置（図４参照）との間で回転するように構成されている。
【００４１】
次に、カバー４の構成について、図２〜図４を用いて更に説明する。
【００４２】
図２、図３に示されるように、カバー４は、扁平な直方体形状を成す本体部３４と、本体部３４の下面の後端部に突設される左右一対の支点部３５と、を備えている。なお、カバー４は、コンタクトガラス３へと自動的に原稿Ｘを搬送する自動原稿搬送装置としての機能を備えていても良い。
【００４３】
カバー４の各支点部３５は、複合機本体２の各挿入部２７に挿入されている。各支点部３５の前面は、前方に向かって湾曲している。各支点部３５の前面には、ロック溝３８が設けられている。
【００４４】
カバー４の各支点部３５には、貫通穴３９が左右方向に設けられている。貫通穴３９には支軸（図示せず）が貫挿されており、この支軸の両端部は複合機本体２の各挿入部２７の各軸穴２８に係合している。このような構成により、カバー４が複合機本体２に開閉可能に支持されている。カバー４は、本体部３４がコンタクトガラス３の上面を露出させることでコンタクトガラス３からの原稿Ｘの取り出しを許容する開放姿勢（図２、図３参照）と、本体部３４がコンタクトガラス３の上面を完全に覆うことでコンタクトガラス３からの原稿Ｘの取り出しを規制する閉止姿勢（図４参照）と、の間で姿勢を切り換え可能となっている。
【００４５】
次に、各ロック機構３０の動作について説明する。
【００４６】
各ロック機構３０のロック片３２がロック解除位置（図２、図３参照）にある状態では、各ロック機構３０のロック片３２がカバー４の各支点部３５のロック溝３８に係合していない。そのため、カバー４の姿勢を閉止姿勢から開放姿勢に切り換えることが可能となっている。
【００４７】
この状態から左側のロック機構３０のモーター３１を平面視時計回りに９０度回転させると共に右側のロック機構３０のモーター３１を平面視反時計回りに９０度回転させると、各ロック機構３０のロック片３２がロック解除位置（図２、図３参照）からロック位置（図４参照）まで回転する。この回転により、各ロック機構３０のロック片３２が挿入溝２９を介して複合機本体２の各挿入部２７に進入し、カバー４の各支点部３５のロック溝３８に係合する。これに伴って、閉止姿勢から開放姿勢へのカバー４の姿勢の切り換えが規制され、カバー４が閉止姿勢に保持される。即ち、ロック機構３０が作動する。
【００４８】
この状態から左側のロック機構３０のモーター３１を平面視反時計回りに９０度回転させると共に右側のロック機構３０のモーター３１を平面視時計回りに９０度回転させると、各ロック機構３０のロック片３２がロック位置（図４参照）からロック解除位置（図２、図３参照）まで回転する。この回転により、各ロック機構３０のロック片３２がカバー４の各支点部３５のロック溝３８から離脱する。これに伴って、閉止姿勢から開放姿勢へのカバー４の姿勢の切り換えが許容される。即ち、ロック機構３０の作動が解除される。
【００４９】
なお、各ロック機構３０はロック機構の一例であって、ロック機構の構成は各ロック機構３０の構成には限定されず、カバー４を閉止姿勢に保持することができるものであれば、どのような構成のロック機構を用いても構わない。
【００５０】
次に、図１及び図５を用いて、本発明の一実施形態に係る画像形成システム４０について説明する。
【００５１】
図５に示されるように、画像形成システム４０は、上述の複合機１と、複合機１にネットワークＮを介して接続される第１ＰＣ４１（端末装置）と、複合機１にネットワークＮを介して接続される第２ＰＣ４２（端末装置）と、を備えている。
【００５２】
複合機１は、制御部４４を備えている。制御部４４は、原稿検知部４６に接続されている。図１に示されるように、原稿検知部４６は、コンタクトガラス３の近傍に設けられている。原稿検知部４６は、例えば、原稿Ｘに向かって発光する発光部と、原稿Ｘからの反射光を受光する受光部と、を備えた反射型センサーによって構成されており、受光部の受光量に基づいて、コンタクトガラス３に載置された原稿Ｘを検知する。
【００５３】
図５に示されるように、制御部４４は、ユーザー検知部４７に接続されている。図１に示されるように、ユーザー検知部４７は、複合機本体２の前端部に設けられている。ユーザー検知部４７は、例えば、ユーザーの動きにより発生した赤外線を受光する焦電素子を備えた赤外線センサーであり、焦電素子の受光量に基づいて、複合機１の周囲の特定の領域（例えば、複合機１の前側の領域）にいるユーザーを検知する。
【００５４】
図５に示されるように、制御部４４は、原稿読取装置５に接続されている。原稿読取装置５は、制御部４４からの信号に基づいて、コンタクトガラス３に載置された原稿Ｘの読み取りを実行する。
【００５５】
制御部４４は、画像形成部１３に接続されている。画像形成部１３は、制御部４４からの信号に基づいて、画像形成動作を実行する。
【００５６】
制御部４４は、操作表示部４８に接続されている。操作表示部４８は、入力部４９と表示部５０とを備えている。入力部４９は、例えば、スタートキー、ストップ／クリアキー、電源キー、テンキー等の操作キーによって構成されている。表示部５０は、例えば、操作画面を表示するタッチパネルによって構成されている。なお、上記のタッチパネルは、入力部４９として兼用されても良い。
【００５７】
制御部４４は、ロック機構３０に接続されている。ロック機構３０は、制御部４４からの信号に基づいて作動し、カバー４を閉止姿勢に保持する。
【００５８】
制御部４４は、報知機構５１に接続されている。報知機構５１は、制御部４４からの信号に基づいて作動し、警告音（アラーム）を発生させ、コンタクトガラス３からの原稿Ｘの取り忘れをユーザーに報知する。
【００５９】
制御部４４は、ＲＯＭ、ＲＡＭ等の記憶装置で構成される記憶部５２に接続されている。記憶部５２は、管理者権限を有する第１ユーザーの識別情報と、管理者権限を有さない第２ユーザーの識別情報と、をそれぞれ記憶している。記憶部５２に記憶されている第１ユーザー及び第２ユーザーの識別情報には、例えば、ユーザー名と、パスワードと、メールアドレスや電話番号などの連絡先と、が含まれている。記憶部５２は、報知機構５１の作動時間Ｔ１（例えば、３０秒間）を記憶している。記憶部５２は、ロック機構３０の待機時間Ｔ２（例えば、３０秒間）を記憶している。
【００６０】
制御部４４は、インターフェース部５３に接続されている。インターフェース部５３は、ＷＡＮ(Wide  Area  Network)やＬＡＮ（Local  Area  Network）等のネットワークＮを介して、第１ＰＣ４１及び第２ＰＣ４２と通信可能に設けられている。なお、ネットワークＮは、有線であっても無線であっても良い。
【００６１】
第１ＰＣ４１は、第１ユーザー（管理者権限を有し、識別情報が記憶部５２に記憶されているユーザー）のＰＣ（Personal  Computer）である。第１ＰＣ４１は、第１入力デバイス５５と第１表示デバイス５６とを備えている。第１入力デバイス５５は、例えば、キーボードやマウスによって構成されている。第１表示デバイス５６は、例えば、モニターによって構成されている。
【００６２】
第２ＰＣ４２は、第２ユーザー（管理者権限を有さず、識別情報が記憶部５２に記憶されているユーザー）のＰＣ（Personal  Computer）である。第２ＰＣ４２は、第２入力デバイス５７と第２表示デバイス５８とを備えている。第２入力デバイス５７は、例えば、キーボードやマウスによって構成されている。第２表示デバイス５８は、例えば、モニターによって構成されている。
【００６３】
上記のように構成された画像形成システム４０において、ユーザーが複合機１の使用を開始する際には、ユーザーをログイン状態とするためのログイン処理を制御部４４が実行する。このログイン処理の一例について、図６を用いて説明する。
【００６４】
まず、ユーザーからのログイン要求に基づいて、複合機１の表示部５０にログイン画面が表示される（ステップＳ１０１）。
【００６５】
次に、このログイン画面を確認しながら、ユーザーがユーザー名とパスワードの入力を行う（ステップＳ１０２）。
【００６６】
次に、ユーザーによって入力されたユーザー名及びパスワードに基づいて、ユーザーの認証が成功するか否かを制御部４４が判断する（ステップＳ１０３）。例えば、制御部４４は、ユーザーによって入力されたユーザー名及びパスワードが記憶部５２に記憶されているユーザー名及びパスワードのうちのどれかと一致するか否かを判断する。
【００６７】
ユーザーの認証が成功する場合（ステップＳ１０３がＹＥＳの場合）には、認証が成功したユーザーを制御部４４がログイン状態とし（ステップＳ１０４）、ログイン状態となったユーザーが記憶部５２に記憶され、ログイン処理が終了する。ユーザーの認証が失敗する場合（ステップＳ１０３がＮＯの場合）には、認証が失敗したユーザーを制御部４４がログイン状態とすることなく、ログイン処理が終了する。
【００６８】
次に、図７、図８、図９Ａ及び図９Ｂを用いて、原稿Ｘの取り忘れ及び原稿Ｘの不正取り出しを防止するための制御の第１実施例（以下、単に「第１実施例」と称する）について、第２ユーザーが原稿Ｘの読み取りを完了させた場合を例に説明する。なお、「第２ユーザーが原稿Ｘの読み取りを完了させた場合」には、第２ユーザーがログイン状態にある場合と、いずれのユーザーもログイン状態に無く、且つ、最後にログアウトしたユーザーが第２ユーザーである場合と、が含まれる。
【００６９】
まず、制御部４４は、ユーザーからの要求に基づいて、原稿読取装置５による原稿Ｘの読み取りが必要か否かを判断する（ステップＳ２０１）。原稿読取装置５による原稿Ｘの読み取りが必要でない場合（ステップＳ２０１がＮＯの場合）には、第１実施例が終了する。なお、原稿読取装置５による原稿Ｘの読み取りが必要でない場合とは、例えば、プリント機能の実行をユーザーが要求した場合である。
【００７０】
原稿読取装置５による原稿Ｘの読み取りが必要な場合（ステップＳ２０１がＹＥＳの場合）には、原稿読取装置５が原稿Ｘの読み取りを実行する（ステップＳ２０２）。なお、原稿読取装置５による原稿Ｘの読み取りが必要な場合とは、例えば、スキャナー機能、ファックス送信機能又はコピー機能の実行をユーザーが要求した場合である。
【００７１】
原稿読取装置５による原稿Ｘの読み取りが完了すると、原稿検知部４６が原稿Ｘを検知するか否かの判断に移行する（ステップＳ２０３）。原稿検知部４６が原稿Ｘを検知しない場合（ステップＳ２０３がＮＯの場合）には、第１実施例が終了する。
【００７２】
原稿検知部４６が原稿Ｘを検知する場合（ステップＳ２０３がＹＥＳの場合）には、ユーザー検知部４７がユーザーを検知するか否かの判断に移行する（ステップＳ２０４）。ユーザー検知部４７がユーザーを検知する場合（ステップＳ２０４がＹＥＳの場合）には、ステップＳ２０３に移行する。
【００７３】
ユーザー検知部４７がユーザーを検知しない場合（ステップＳ２０４がＮＯの場合）には、制御部４４は、ロック機構３０及び報知機構５１を同時に作動させる（ステップＳ２０５）。これにより、ロック機構３０によってカバー４が閉止姿勢に保持されると共に、報知機構５１が発生させる警告音（アラーム）によってコンタクトガラス３からの原稿Ｘの取り忘れがユーザーに報知される。
【００７４】
次に、制御部４４は、第１ユーザー及び第２ユーザーの識別情報の一部とコンタクトガラス３からの原稿Ｘの取り忘れに関する警告を複合機１の表示部５０に表示させる（ステップＳ２０６）。このときの複合機１の表示部５０の画面の例を、図８に示す。なお、図８に示されるような画面又はこの画面を閉じた時に表示される画面には、ロック機構３０が作動した状態でも使える機能（例えば、プリント機能）が表示される。
【００７５】
図８に示されるような画面が表示されると、第１ユーザー又は第２ユーザーが「認証」ボタンを押して、パスワードを入力する。次に、制御部４４は、複合機１の入力部４９への操作によって第１ユーザー又は第２ユーザーのいずれか一方の認証が成功するか否かを判断する（ステップＳ２０７）。例えば、制御部４４は、複合機１の入力部４９に入力されるパスワードが記憶部５２に記憶されている第１ユーザー又は第２ユーザーのパスワードと一致するか否かを判断する。
【００７６】
複合機１の入力部４９への操作によって第１ユーザー又は第２ユーザーのいずれか一方の認証が成功する場合（ステップＳ２０７がＹＥＳの場合）には、制御部４４は、ロック機構３０の作動を解除する（ステップＳ２０８）。これに伴って、ユーザーは、カバー４の姿勢を閉止姿勢から開放姿勢に切り換えて、取り忘れた原稿Ｘをコンタクトガラス３から取り出すことができる。これにより、第１実施例が終了する。
【００７７】
一方で、複合機１の入力部４９への操作によって第１ユーザー又は第２ユーザーのどちらの認証も成功しない場合（ステップＳ２０７がＮＯの場合）には、制御部４４は、報知機構５１の作動時間Ｔ１が終了しているか否かを判断する（ステップＳ２０９）。報知機構５１の作動時間Ｔ１が終了していない場合（ステップＳ２０９がＮＯの場合）には、ステップＳ２０７に移行する。
【００７８】
報知機構５１の作動時間Ｔ１が終了している場合（ステップＳ２０９がＹＥＳの場合）には、制御部４４は、ロック機構３０の作動を継続させると共に報知機構５１の作動を停止させる（ステップＳ２１０）。
【００７９】
次に、制御部４４は、コンタクトガラス３からの原稿Ｘの取り忘れに関する取り忘れ通知（例えば、メール）を第１ＰＣ４１と第２ＰＣ４２にそれぞれ送信する（ステップＳ２１１）。図９Ａに示されるように、第１ＰＣ４１に送信される取り忘れ通知には、第２ユーザーの識別情報の一部が含まれる。図９Ｂに示されるように、第２ＰＣ４２に送信される取り忘れ通知には、第１ユーザーの識別情報の一部が含まれる。
【００８０】
次に、制御部４４は、第１ＰＣ４１の第１入力デバイス５５又は第２ＰＣ４２の第２入力デバイス５７への操作によって第１ユーザー又は第２ユーザーのいずれか一方の認証が成功するか否かを判断する（ステップＳ２１２）。例えば、制御部４４は、第１ＰＣ４１の第１入力デバイス５５に入力されるパスワードが記憶部５２に記憶されている第１ユーザーのパスワードと一致するか否か、又は、第２ＰＣ４２の第２入力デバイス５７に入力されるパスワードが記憶部５２に記憶されている第２ユーザーのパスワードと一致するか否かを判断する。
【００８１】
第１ＰＣ４１の第１入力デバイス５５又は第２ＰＣ４２の第２入力デバイス５７への操作によって第１ユーザー又は第２ユーザーのどちらの認証も成功しない場合（ステップＳ２１２がＮＯの場合）には、制御部４４がロック機構３０の作動を継続させたまま、ステップＳ２１２が繰り返される。
【００８２】
第１ＰＣ４１の第１入力デバイス５５又は第２ＰＣ４２の第２入力デバイス５７への操作によって第１ユーザー又は第２ユーザーのいずれか一方の認証が成功する場合（ステップＳ２１２がＹＥＳの場合）には、制御部４４は、ロック機構３０の作動を解除する（ステップＳ２１３）。
【００８３】
次に、制御部４４は、ロック機構３０の作動の解除に関するロック解除通知（例えば、メール）を送信する（ステップＳ２１４）。ロック解除通知は、第１ＰＣ４１の第１入力デバイス５５への操作によって第１ユーザーの認証が成功する場合には、第２ＰＣ４２に送信され、第２ＰＣ４２の第２入力デバイス５７への操作によって第２ユーザーの認証が成功する場合には、第１ＰＣ４１に送信される。ロック解除通知には、例えば、「・・・・・（管理者名又はユーザー名）の認証により、ロックが解除されました。」といったメッセージが含まれる。ロック解除通知の送信により、第１実施例が終了する。
【００８４】
上記第１実施例では、原稿読取装置５による原稿Ｘの読み取りが完了した状態で、原稿検知部４６が原稿Ｘを検知し、且つ、ユーザー検知部４７がユーザーを検知しない場合に、制御部４４がロック機構３０及び報知機構５１を作動させ、ロック機構３０が作動している状態で、第１ユーザー又は第２ユーザー（特定のユーザー）の認証が成功する場合に、制御部４４がロック機構３０の作動を解除している。
【００８５】
上記のように原稿検知部４６の検知結果とユーザー検知部４７の検知結果を組み合わせることで、原稿Ｘの取り忘れを正確に把握することができるため、原稿Ｘの取り忘れをユーザーに確実に報知することが可能となる。
【００８６】
また、上記のように第１ユーザー又は第２ユーザーのいずれか一方の認証が成功するまでロック機構３０を作動させることで、原稿Ｘの取り忘れの報知に第２ユーザーが気付かなかった場合であっても、第２ユーザーが取り忘れた原稿Ｘを無権限の第三者が取り出すのを防止することができる。そのため、原稿Ｘに含まれる機密事項が漏えいするのを抑制することが可能となる。
【００８７】
上記第１実施例では、原稿読取装置５による原稿Ｘの読み取りが完了した状態で、原稿検知部４６が原稿Ｘを検知し、且つ、ユーザー検知部４７がユーザーを検知しない場合に、作動時間Ｔ１中は制御部４４がロック機構３０及び報知機構５１を作動させ、作動時間Ｔ１が終了すると、制御部４４がロック機構３０の作動を継続させると共に報知機構５１の作動を停止させている。このような構成を採用することで、第２ユーザーが取り忘れた原稿Ｘを無権限の第三者が取り出すのを一層確実に防止することが可能となる。
【００８８】
上記第１実施例では、ロック機構３０が作動している状態で、第１ユーザー及び第２ユーザーの識別情報の一部とコンタクトガラス３からの原稿Ｘの取り忘れに関する警告を制御部４４が複合機１の表示部５０に表示させている。このような構成を採用することで、画像読取機能を使用したい他のユーザーが、第１ユーザー又は第２ユーザーに直接連絡を取り、ロック機構３０の作動を解除するための認証を第１ユーザー又は第２ユーザーに行わせることが可能となる。
【００８９】
上記第１実施例では、作動時間Ｔ１中は複合機１への操作によって第１ユーザー又は第２ユーザーのいずれか一方の認証が成功する場合に、制御部４４がロック機構３０の作動を解除し、作動時間Ｔ１が終了すると、コンタクトガラス３からの原稿Ｘの取り忘れに関する取り忘れ通知を制御部４４が第１ＰＣ４１及び第２ＰＣ４２に送信し、第１ＰＣ４１又は第２ＰＣ４２への操作によって第１ユーザー又は第２ユーザーのいずれか一方の認証が成功する場合に、制御部４４がロック機構３０の作動を解除している。このような構成を採用することで、第１ユーザー及び第２ユーザーが作動時間Ｔ１の終了後に複合機１から離れた場所にいる場合でも、第１ユーザー又は第２ユーザーが第１ＰＣ４１又は第２ＰＣ４２への操作によって認証を行うことで、第１ユーザー又は第２ユーザーが複合機１まで移動しなくてもロック機構３０の作動を解除することができる。また、第１ユーザー又は第２ユーザーが複合機１の近くにいる他のユーザーに原稿Ｘの取り出し及び保管を依頼することも可能である。
【００９０】
上記第１実施例では、作動時間Ｔ１の終了後は、第１ＰＣ４１又は第２ＰＣ４２への操作によってのみロック機構３０の作動の解除が可能となっており、複合機１への操作ではロック機構３０の作動は解除されない。そのため、無権限のユーザーが複合機１を無断で操作してロック機構３０の作動を解除するような事態を回避することができる。
【００９１】
上記第１実施例では、第２ユーザーが原稿Ｘの読み取りを完了させた時には、取り忘れ通知を第１ＰＣ４１及び第２ＰＣ４２に送信し、第１ＰＣ４１又は第２ＰＣ４２への操作によって第１ユーザー又は第２ユーザーの一方の認証が成功する場合に、ロック機構３０の作動を解除し、第１ユーザー又は第２ユーザーの他方のＰＣ（第１ＰＣ４１又は第２ＰＣ４２）にロック解除通知を送信している。このような構成を採用することで、ロック機構３０の作動を解除するための認証を第１ユーザーと第２ユーザーが重複して行うのを抑制し、利便性の向上を図ることが可能となる。
【００９２】
上記第１実施例では、第２ユーザーが原稿Ｘの読み取りを完了させた時に第１ＰＣ４１（第１ユーザーのＰＣ）に送信される取り忘れ通知に第２ユーザーの識別情報の一部を制御部４４が含ませ、第２ユーザーが原稿Ｘの読み取りを完了させた時に第２ＰＣ４２（第２ユーザーのＰＣ）に送信される取り忘れ通知に第１ユーザーの識別情報の一部を制御部４４が含ませている。このような構成を採用することで、第１ユーザーと第２ユーザーが互いに連絡を取ることができる。そのため、第１ユーザーと第２ユーザーのどちらが認証や原稿Ｘの取り出しを行うかを容易に決定することができる。
【００９３】
上記第１実施例では、「第２ユーザーが原稿Ｘの読み取りを完了させた場合」に、第２ユーザーがログイン状態にある場合と、いずれのユーザーもログイン状態に無く、且つ、最後にログアウトしたユーザーが第２ユーザーである場合と、が含まれている。そのため、第２ユーザーがログイン状態のまま原稿Ｘをコンタクトガラス３から取り忘れた場合だけでなく、第２ユーザーがログアウトはしたものの原稿Ｘをコンタクトガラス３から取り忘れた場合にも、ロック機構３０及び報知機構５１を作動させることができる。
【００９４】
次に、図１０を用いて、取り忘れ通知（上記第１実施例のステップＳ２１１参照）の送信制御の一例について説明する。
【００９５】
まず、制御部４４は、第１ユーザーが原稿Ｘの読み取りを完了させたか否かを判断する（ステップＳ３０１）。なお、「第１ユーザーが原稿Ｘの読み取りを完了させた場合」には、第１ユーザーがログイン状態にある場合と、いずれのユーザーもログイン状態に無く、且つ、最後にログアウトしたユーザーが第１ユーザーである場合と、が含まれる。
【００９６】
第１ユーザーが原稿Ｘの読み取りを完了させた場合（ステップＳ３０１がＹＥＳの場合）には、制御部４４は、第１ＰＣ４１のみに取り忘れ通知を送信する（ステップＳ３０２）。これにより、取り忘れ通知の送信制御が終了する。
【００９７】
第１ユーザーが原稿Ｘの読み取りを完了させていない場合（ステップＳ３０１がＮＯの場合）には、制御部４４は、第２ユーザーが原稿Ｘの読み取りを完了させたか否かを判断する（ステップＳ３０３）。なお、「第２ユーザーが原稿Ｘの読み取りを完了させた場合」には、第２ユーザーがログイン状態にある場合と、いずれのユーザーもログイン状態に無く、且つ、最後にログアウトしたユーザーが第２ユーザーである場合と、が含まれる。
【００９８】
第２ユーザーが原稿Ｘの読み取りを完了させた場合（ステップＳ３０３がＹＥＳの場合）には、制御部４４は、第１ＰＣ４１及び第２ＰＣ４２に取り忘れ通知を送信する（ステップＳ３０４）。これにより、取り忘れ通知の送信制御が終了する。
【００９９】
第２ユーザーが原稿Ｘの読み取りを完了させていない（ステップＳ３０３がＮＯの場合）には、制御部４４は、第１ＰＣ４１のみに取り忘れ通知を送信する（ステップＳ３０２）。これにより、取り忘れ通知の送信制御が終了する。なお、ステップＳ３０３がＮＯの場合とは、例えば、記憶部５２に識別情報が記憶されていないユーザー（ゲストユーザー）が原稿Ｘの読み取りを完了させた場合である。
【０１００】
上記の例では、第２ユーザーが原稿Ｘの読み取りを完了させた時には、取り忘れ通知を第１ＰＣ４１及び第２ＰＣ４２に送信し、第１ユーザー及び第２ユーザー以外のユーザーが原稿Ｘの読み取りを完了させた時には、取り忘れ通知を第１ＰＣのみに送信している。そのため、適切な送信先に取り忘れ通知を送信することが可能となる。
【０１０１】
次に、図１１を用いて、原稿Ｘの取り忘れ及び原稿Ｘの不正取り出しを防止するための制御の第２実施例（以下、単に「第２実施例」と称する）について、第２ユーザーが原稿Ｘの読み取りを完了させた場合を例に説明する。なお、第２実施例のステップＳ４０１〜ステップＳ４０４は、第１実施例のステップＳ２０１〜ステップＳ２０４と同様であるため、説明を省略する。また、ステップＳ４０１〜ステップＳ４０４以外のステップについても、第１実施例と同様の部分については、適宜説明を省略する。
【０１０２】
ユーザー検知部４７がユーザーを検知する場合（ステップＳ４０４がＹＥＳの場合）には、ステップＳ４０３に移行する。
【０１０３】
ユーザー検知部４７がユーザーを検知しない場合（ステップＳ４０４がＮＯの場合）には、制御部４４は、ロック機構３０を待機させると共に報知機構５１を作動させる（ステップＳ４０５）。
【０１０４】
次に、制御部４４は、ロック機構３０の待機時間Ｔ２が終了しているか否かを判断する（ステップＳ４０６）。ロック機構３０の待機時間Ｔ２が終了していない場合（ステップＳ４０６がＮＯの場合）には、ステップＳ４０６が繰り返される。
【０１０５】
ロック機構３０の待機時間Ｔ２が終了している場合（ステップＳ４０６がＹＥＳの場合）には、原稿検知部４６が原稿Ｘを検知するか否かの判断に移行する（ステップＳ４０７）。原稿検知部４６が原稿Ｘを検知しない場合（ステップＳ４０７がＮＯの場合）には、第２実施例が終了する。
【０１０６】
原稿検知部４６が原稿Ｘを検知する場合（ステップＳ４０７がＹＥＳの場合）には、制御部４４は、ロック機構３０を作動させる（ステップＳ４０８）。この時、制御部４４は、報知機構５１の作動を継続させても良いし、報知機構５１の作動を停止させても良い。
【０１０７】
次に、制御部４４は、第１ユーザー及び第２ユーザーの識別情報の一部とコンタクトガラス３からの原稿Ｘの取り忘れに関する警告を複合機１の表示部５０に表示させる（ステップＳ４０９）。
【０１０８】
次に、制御部４４は、複合機１の入力部４９への操作によって第１ユーザー又は第２ユーザーのいずれか一方の認証が成功するか否かを判断する（ステップＳ４１０）。複合機１の入力部４９への操作によって第１ユーザー又は第２ユーザーのどちらの認証も成功しない場合（ステップＳ４１０がＮＯの場合）には、制御部４４がロック機構３０の作動を継続させたまま、ステップＳ４１０が繰り返される。
【０１０９】
複合機１の入力部４９への操作によって第１ユーザー又は第２ユーザーのいずれか一方の認証が成功する場合（ステップＳ４１０がＹＥＳの場合）には、制御部４４は、ロック機構３０の作動を解除する（ステップＳ４１１）。これにより、第２実施例が終了する。
【０１１０】
上記第２実施例では、上記第１実施例と同様に、原稿読取装置５による原稿Ｘの読み取りが完了した状態で、原稿検知部４６が原稿Ｘを検知し、且つ、ユーザー検知部４７がユーザーを検知しない場合に、制御部４４がロック機構３０及び報知機構５１を作動させ、ロック機構３０が作動している状態で、第１ユーザー又は第２ユーザー（特定のユーザー）の認証が成功する場合に、制御部４４がロック機構３０の作動を解除している。
【０１１１】
上記第２実施例では、原稿読取装置５による原稿Ｘの読み取りが完了した状態で、原稿検知部４６が原稿Ｘを検知し、且つ、ユーザー検知部４７がユーザーを検知しない場合に、待機時間Ｔ２中はロック機構３０を待機させると共に報知機構５１を作動させ、待機時間Ｔ２が終了してもまだ原稿検知部４６が原稿Ｘを検知する場合に、ロック機構３０を作動させている。このような構成を採用することで、第２ユーザーが待機時間Ｔ２中に原稿Ｘの取り忘れの報知に気付いた場合に、認証を行うことなく原稿Ｘを取り出すことができるため、利便性の向上を図ることが可能となる。
【０１１２】
次に、図１２を用いて、原稿Ｘの不正取り出しをユーザーに知らせるための制御について、第２ユーザーが原稿Ｘの読み取りを完了させた場合を例に説明する。
【０１１３】
まず、制御部４４は、ロック機構３０が作動しているか否かを判断する（ステップＳ５０１）。ロック機構３０が作動していない場合（ステップＳ５０１がＮＯの場合）には、原稿Ｘの不正取り出しをユーザーに知らせるための制御が終了する。
【０１１４】
ロック機構３０が作動している場合（ステップＳ５０１がＹＥＳの場合）には、原稿検知部４６が原稿Ｘを検知するか否かの判断に移行する（ステップＳ５０２）。原稿検知部４６が原稿Ｘを検知する場合（ステップＳ５０２がＹＥＳの場合）には、ステップＳ５０１に移行する。
【０１１５】
原稿検知部４６が原稿Ｘを検知しない場合（ステップＳ５０２がＮＯの場合）には、ロック機構３０の作動が正常に解除されることなく、原稿Ｘが検知されなくなっており、コンタクトガラス３から原稿Ｘが不正に取り出された可能性が高い。このような場合には、第１ＰＣ４１又は第２ＰＣ４２の少なくとも一方に通知を送信できるか否かを制御部４４が判断する（ステップＳ５０３）。
【０１１６】
第１ＰＣ４１又は第２ＰＣ４２の少なくとも一方に通知を送信できる場合（ステップＳ５０３がＹＥＳの場合）には、第１ＰＣ４１又は第２ＰＣ４２の一方又は両方に、コンタクトガラス３から原稿Ｘが不正に取り出されたことに関する不正取り出し通知（例えば、メール）を制御部４４が送信し、原稿Ｘの不正取り出しをユーザーに知らせるための制御が終了する。不正取り出し通知には、例えば、「コンタクトガラスから原稿が不正に取り出された恐れがあります。至急確認してください。」といったメッセージが含まれる。
【０１１７】
第１ＰＣ４１及び第２ＰＣ４２のどちらにも通知を送信できない場合（ステップＳ５０３がＮＯの場合）には、制御部４４は、報知機構５１を作動させる（ステップＳ５０５）。なお、第１ＰＣ４１及び第２ＰＣ４２のどちらにも通知を送信できない場合とは、例えば、第１ユーザー及び第２ユーザーの識別情報にメールアドレスが含まれない場合である。
【０１１８】
次に、制御部４４は、複合機１の入力部４９への操作（例えば、パスワードの入力）によって第１ユーザー又は第２ユーザーのいずれか一方の認証が成功するか否かを判断する（ステップＳ５０６）。複合機１の入力部４９への操作によって第１ユーザー又は第２ユーザーのどちらの認証も成功しない場合（ステップＳ５０６がＮＯの場合）には、制御部４４が報知機構５１の作動を継続させたまま、ステップＳ５０６が繰り返される。
【０１１９】
複合機１の入力部４９への操作によって第１ユーザー又は第２ユーザーのいずれか一方の認証が成功する場合（ステップＳ５０６がＹＥＳの場合）には、制御部４４が報知機構５１の作動を停止し（ステップＳ５０７）、原稿Ｘの不正取り出しをユーザーに知らせるための制御が終了する。
【０１２０】
上記の例では、ロック機構３０が作動し、且つ、原稿検知部４６が原稿Ｘを検知しない場合に、第１ＰＣ４１又は第２ＰＣ４２の少なくとも一方に通知を送信できるか否かを制御部４４が判断し、第１ＰＣ４１又は第２ＰＣ４２の少なくとも一方に通知を送信できる場合には、制御部４４が不正取り出し通知を第１ＰＣ４１又は第２ＰＣ４２の一方又は両方に送信し、第１ＰＣ４１及び第２ＰＣ４２のどちらにも通知を送信できない場合には、制御部４４が報知機構５１を作動させている。このような構成を採用することで、原稿Ｘの不正な取り出しを第１ユーザー、第２ユーザー又は複合機１の周囲にいるユーザーに迅速に知らせることができる。
【０１２１】
本実施形態では、パスワード認証を用いてユーザーの認証を行う場合について説明した。一方で、他の異なる実施形態では、指紋認証等の生体認証やカードリーダー等を用いた無線認証などを用いてユーザーの認証を行っても良い。
【０１２２】
本実施形態では、固定端末であるＰＣ（Personal  Computer）を端末装置として用いる場合について説明した。一方で、他の異なる実施形態では、携帯電話やスマートフォンなどの携帯端末を端末装置として用いても良い。
【０１２３】
本実施形態では、ロック機構３０が作動している状態で、特定のユーザーの識別情報の一部が複合機１の表示部５０に表示される場合について説明した。一方で、他の異なる実施形態では、ロック機構３０が作動している状態で、特定のユーザーの識別情報の一部又は全部が複合機１の表示部５０に表示されるか否かを、識別情報を登録する際にユーザーが選択しても良い。なお、特定のユーザーの識別情報が複合機１の表示部５０に全く表示されない場合には、認証を行う際に、ユーザー名と認証情報（例えば、パスワード）の両方をユーザーが複合機１の入力部４９に入力する必要がある。  
【０１２４】
本実施形態では、第２ユーザーが原稿Ｘの読み取りを完了した場合に、第１ユーザー（管理者権限を有し、識別情報が記憶部５２に記憶されているユーザー）及び第２ユーザー（管理者権限を有さず、識別情報が記憶部５２に記憶されているユーザー）の両方を「特定のユーザー」とする場合について説明した。一方で、他の異なる実施形態では、第２ユーザーが原稿Ｘの読み取りを完了した場合に、第１ユーザー又は第２ユーザーのどちらか一方のみを「特定のユーザー」としても良い。このように、「特定のユーザー」は、認証を行うことができるユーザー（識別情報が記憶部５２に記憶されているユーザー）の中から、どのように選択されても良い。但し、「特定のユーザー」には、原稿Ｘの読み取りを完了させたユーザーが少なくとも含まれていることが好ましい。
【０１２５】
本実施形態では特に説明を行わなかったが、他の異なる実施形態では、記憶部５２に識別情報が記憶されているユーザー（例えば、第１ユーザー及び第２ユーザー）が原稿Ｘの読み取りを完了させた場合にのみロック機構３０を作動させ、記憶部５２に識別情報が記憶されていないユーザー（ゲストユーザー）が原稿Ｘの読み取りを完了させた場合にはロック機構３０を作動させなくても良い。記憶部５２に識別情報が記憶されていないユーザー（ゲストユーザー）が原稿Ｘの読み取りを完了させた場合には、ロック機構３０によって原稿Ｘを保護しても、その原稿Ｘが誰のものか分からずに返却できないような事態も想定されるため、原稿Ｘを保護する必要性が低いからである。
【０１２６】
本実施形態では、複合機１に本発明の構成を適用する場合について説明したが、他の異なる実施形態では、コピー機、スキャナー、ファクシミリ等の複合機１以外の画像形成装置に本発明の構成を適用しても良い。
【符号の説明】
【０１２７】
１  複合機（画像形成装置）
３  コンタクトガラス（原稿載置部）
４  カバー（開閉部材）
５  原稿読取装置
３０  ロック機構
４０  画像形成システム
４１  第１ＰＣ（端末装置）
４２  第２ＰＣ（端末装置）
４４  制御部
４６  原稿検知部
４７  ユーザー検知部
５０  表示部
５１  報知機構
５２  記憶部
Ｎ  ネットワーク
Ｘ  原稿
【図１】
0006256403.tif 000002
【図２】
0006256403.tif 000003
【図３】
0006256403.tif 000004
【図４】
0006256403.tif 000005
【図５】
0006256403.tif 000006
【図６】
0006256403.tif 000007
【図７】
0006256403.tif 000008
【図８】
0006256403.tif 000009
【図９Ａ】
0006256403.tif 000010
【図９Ｂ】
0006256403.tif 000011
【図１０】
0006256403.tif 000012
【図１１】
0006256403.tif 000013
【図１２】
0006256403.tif 000014